(57)【要約】  一連の予備質問に返答する人間被験者の皮膚導電性レベルを測定することと、一連の制御質問に返答する人間被験者の皮膚導電性レベルを測定することと、交感神経活性化が検出された場合に、前記制御質問の皮膚導電性レベルの回復時間を基本回復時間と比較することにより前記制御質問に対する応答の信頼性を見つけることと、を含む方法である。さらに、答えが公知な一連の予備的質問に返答する人間被験者の心拍を測定し、該心拍のコヒーレンスのレベルを基準の心拍コヒーレンスレベルに導くことと、前記人間被験者に一連の制御質問を与えることと、前記基準の心拍コヒーレンス及び前記不均衡な心拍コヒーレンスで検出される心拍コヒーレンスを比較することにより関連の質問への返答の真実性を見い出すことと、を含む方法である。【選択図】図１０
2017532170.tif 000002
【特許請求の範囲】
【請求項１】
一連の予備的質問を含む予備尋問に返答する人間被験者の皮膚導電性レベルを測定し、該測定された皮膚導電性レベルが基準皮膚導電性レベルと定義されることと、
前記人間被験者の自律神経系を交感神経活性化に導くのに十分な官能的刺激を前記人間被験者に与えることと、
前記交換神経活性化の後に前記人間被験者の前記皮膚導電性レベルを測定し、該測定された皮膚導電性レベルがストレス基本返答レベルと定義されると共に、該測定値が前記ストレス基本返答レベルと基準皮膚導電性レベルの間の所定値に達した後の時間として基本回復時間が定義されることと、
答えが疑う余地のない前記被験者に知られている一連の制御質問に返答する前記人間被験者の皮膚導電性レベルを測定することと、
交感神経活性化が検出された場合に、前記制御質問の皮膚導電性レベルの回復時間を前記基本回復時間と比較することにより前記制御質問に対する応答の真実性を見い出すことと、
を含む方法。
【請求項２】
前記人間被験者の皮膚導電性レベルの測定は前記人間被験者の抵抗に一致する可変抵抗を有する皮膚導電性測定装置を使用して行われる請求項１に記載の方法。
【請求項３】
前記予備尋問は公知な疑う余地のない少なくとも２つの質問を含む請求項１に記載の方法。
【請求項４】
前記刺激を与えた後、前記提示された尋問状態における前記被験者の前記自動応答レベル及び通常行動の推測をさらに含む請求項１に記載の方法。
【請求項５】
一連の制御質問への返答中に、前記測定値を前記基準返答レベルと比較すると共に各返答後の前記回復時間を前記基本回復時間と比較することをさらに含む請求項１に記載の方法。
【請求項６】
少なくとも前記一連の制御質問の間に前記人間被験者の心拍コヒーレンスを測定すると共に前記被験者の心拍コヒーレンスの基準構造を計算することをさらに含む請求項１に記載の方法。
【請求項７】
前記皮膚導電性の変動程度を測定し、該変動程度が所定の変動閾値より高いと共に前記心拍コヒーレンスが前記心拍コヒーレンスの基準より高く及び又は該心拍コヒーレンスの基準と構造が異なる場合に、前記制御質問に対する返答が嘘であると疑うように示すことをさらに含む請求項６に記載の方法。
【請求項８】
答えが疑う余地がなく前記被験者に知られている一連の予備質問に返答する人間被験者の心拍を測定し、該心拍コヒーレンスのレベルを基準心拍コヒーレンスレベルに導くことと、
答えが可変長さを有する一連の制御質問を前記人間被験者に提示し、該制御質問は前記人間被験者に該被験者の呼吸器系を選択的に制御させない速度で尋ねられ、前記人間被験者の前記心拍コヒーレンスレベルが不均衡となるようにすることと、
前記尋問する被験者に関連する一連の質問に返答する前記人間被験者の前記心拍を測定することと、
検出された心拍コヒーレンスを前記基準心拍コヒーレンス及び前記不均衡な心拍コヒーレンスと比較することにより関連の質問への返答の真実性を見い出すことと、
を含む方法。
【請求項９】
前記予備尋問は疑いのない公知な答えを有する少なくとも２つの質問を含む請求項８に記載の方法。
【請求項１０】
前記予備的質問の段階の間に前記特定の被験者の基本心拍コヒーレンシを知ることと、前記制御質問の段階の間にストレス返答コヒーレンシを知ることをさらに含む請求項８に記載の方法。
【発明の詳細な説明】
【技術分野】
【０００１】
（関連特許出願の相互参照）
本出願は、２０１４年９月４日に出願された米国出願第１４／４７６，８２８号からの優先権を主張する。
【０００２】
本発明は、一般に、真実性テストに関し、より詳細には、そのようなテストの信頼性を高めるための多感覚のデータを使用することに関する。
【背景技術】
【０００３】
以下の刊行物は当技術の現状を示すものであると考えられる。米国特許Ｎｏｓ．７，９７２，１４０；７，９６７，７５０；７，８３１，０６１；７，８２２，７８３；７，４３１，７００；６，８７３，７１６；６，３３９，７１５；６，０６２，２１６；５，８９２，５７５；５，７９２，０４９；５，５０７，２９１；５，４６７，１２２；５，２７８，４０３；５，２４１，３６０；５，１４２，３７２；４，２８９，１４２；４，１２３，１６０；４，０８５，７４０；３，２３０，９５１；２，９４４，５４２；
Ｒｅ：３３，８６５；米国特許出願公開Ｎｏ．２００４／００３１９０６；ＰＣＴ国際出願公開Ｎｏｓ．ＷＯ／２０１０／１０４４８０；ＷＯ／２０１０／０９２３６６；ＷＯ／２００８／０２９１２１。
【発明の概要】
【課題を解決するための手段】
【０００４】
本発明の幾つかの実施例はポリグラフ分析の方法を提供し、その方法は、一連の予備的質問を含む予備尋問に返答する人間被験者の皮膚導電性レベルを測定し、該測定された皮膚導電性レベルが基準の皮膚導電性レベルと定義されることを含んでいる。
【０００５】
さらに、本発明の実施例による方法は、人間被験者の自律神経系を交感神経活性化に導くのに十分な官能的刺激を前記人間被験者に与えることと、前記交換神経活性化の後に人間被験者の皮膚導電性レベルを測定することを含んでいる。
【０００６】
前記予備的質問に返答する前記測定された皮膚導電性レベルがストレスの基本返答レベルとして本発明の実施例によって定義され、該測定値が前記ストレスの基本返答レベルと基準の皮膚導電性レベルの間の所定値に届いた後の時間として基本回復時間が定義される。
【０００７】
さらに、本発明の幾つかの実施例による方法は、答えが前記被験者に公知で疑う余地のない一連の制御質問に返答する前記人間被験者の皮膚導電性レベルを測定することと、交感神経活性化が検出された場合に、前記制御質問の皮膚導電性レベルの回復時間を前記基本回復時間と比較することにより前記制御質問に対する応答の真実性を見い出すことと、を含んでいる。
【０００８】
本発明の幾つかの実施例では、前記人間被験者の皮膚導電性レベルの測定は前記人間被験者の抵抗に一致する可変抵抗を有する皮膚導電性測定装置を使用して行われる。
【０００９】
本発明の幾つかの実施例では、前記予備尋問は公知な疑う余地のない少なくとも２つの質問を含んでいる。
【００１０】
本発明の幾つかの実施例では、前記方法は前記刺激を与えた後に前記与えられた尋問状態下における前記被験者の前記自動応答レベル及び通常行動の推測をさらに含んでいる。
【００１１】
本発明の幾つかの実施例では、前記方法は一連の制御質問への返答中に、前記測定値を前記基準返答レベルに比較すると共に各返答後の前記回復時間を前記基本回復時間に比較することをさらに含んでいる。
【００１２】
本発明の幾つかの実施例では、前記方法は少なくとも前記一連の制御質問の間に前記人間被験者の心拍コヒーレンスを測定すると共に前記被験者の心拍コヒーレンスの基準構造を計算することをさらに含んでいる。
【００１３】
本発明の幾つかの実施例では、前記方法は前記皮膚導電性の変動程度を測定し、該変動程度が所定の変動閾値より高いと共に前記心拍コヒーレンスが前記心拍コヒーレンスの基準より高く及び又は該心拍コヒーレンスの基準と構造が異なる場合に、前記制御質問に対する返答を嘘であると疑うように示すことをさらに含んでいる。
【００１４】
さらに、本発明の幾つかの実施例は、答えが疑う余地のない前記被験者に知られている一連の予備質問に返答する人間被験者の心拍を測定し、該心拍のコヒーレンスのレベルを基準の心拍コヒーレンスレベルに導くことを含んでいる。
【００１５】
本発明の幾つかの実施例では、前記予備尋問が疑う余地のない公知な答えを有する少なくとも２つの質問を含んでいる。
【００１６】
本発明の幾つかの実施例では、前記方法は前記予備的質問の段階の間に前記特定の被験者の前記基本心拍コヒーレンシを知ることと、前記制御質問の段階の間に前記ストレス返答コヒーレンシを知ることをさらに含んでいる。
【００１７】
さらに、本発明の幾つかの実施例による方法は、答えが可変長さを有する一連の制御質問を前記人間被験者に与え、該制御質問は前記人間被験者に該被験者の呼吸器系を選択的に制御させない速度で尋ねられ、前記人間被験者の前記心拍コヒーレンスレベルが不均衡となるようにすることを含んでいる。
【００１８】
さらに、本発明の幾つかの実施例による方法は、前記尋問する被験者に関連する一連の質問に返答する前記人間被験者の前記心拍を測定することと、前記基準の心拍コヒーレンス及び前記不均衡な心拍コヒーレンスで検出される心拍コヒーレンスを比較することにより関連の質問への返答の真実性を見い出すことを含んでいる。例えば、関連する質問に返答する前記コヒーレンスレベルが前記基準のコヒーレンスレベルより良い場合に、前記被験者の返答が嘘であるという疑いが示され、例えば、被験者は前記関連する質問に対する本当の返答を隠すためにかれらの心拍を制御しようとする。
【図面の簡単な説明】
【００１９】
本発明は図面を参照することでより十分に理解及び認識されるだろう。
【図１】本発明の好適な実施例により構成及び実施される分散コンピュータ化された真実性テストシステムを簡略化して絵で示した図である。
【図２Ａ】本発明の好適な実施例により構成及び実施されるコンピュータ化された真実性テストシステムの一部を形成する被験者観察サブシステムの簡略化された分解図及び組立図を絵で示した図である。
【図２Ｂ】本発明の好適な実施例により構成及び実施されるコンピュータ化された真実性テストシステムの一部を形成する被験者観察サブシステムの簡略化された分解図及び組立図を絵で示した図である。
【図２Ｃ】図２Ａ及び２Ｂの被験者観察サブシステムの簡略化した平面図である。
【図２Ｄ】図２Ａ〜２Ｃの被験者観察サブシステムに手を掛けた状態を簡略化して示す図である。
【図３Ａ】対応する図２Ａの線ＩＩＩＡ−ＩＩＩＡに沿って切断した簡略切断図である。
【図３Ｂ】対応する図２Ｂの線ＩＩＩＢ−ＩＩＩＢに沿って切断した簡略切断図である。
【図４Ａ】それぞれの非固定操作方向及び固定操作方向において図２Ｄの線ＩＶ−ＩＶに沿って切断した簡略切断図である。
【図４Ｂ】それぞれの非固定操作方向及び固定操作方向において図２Ｄの線ＩＶ−ＩＶに沿って切断した簡略切断図である。
【図５】本発明の好適な実施例により構成及び実施されるコンピュータ化された真実性テストシステムの一部を形成する被験者観察サブシステムの別の実施例を簡略して示す図である。
【図６Ａ】好ましくは本発明の好適な実施例の真実性テストシステムにより与えられる、多数の異なるタイプのセンサーを使用する異なる出力機能を簡略化して示す図である。
【図６Ｂ】好ましくは本発明の好適な実施例の真実性テストシステムにより与えられる、多数の異なるタイプのセンサーを使用する異なる出力機能を簡略化して示す図である。
【図６Ｃ】好ましくは本発明の好適な実施例の真実性テストシステムにより与えられる、多数の異なるタイプのセンサーを使用する異なる出力機能を簡略化して示す図である。
【図７】図６Ａ，６Ｂ及び６Ｃに示される機能を与える真実性テストシステムの作用を簡略して示す図である。
【図８】本発明の幾つかの実施例により被験者の嘘の返答を認識するための方法を示す概略フローチャートである。
【図９】本発明の幾つかの実施例により被験者の嘘の返答を認識するための方法を示す概略フローチャートである。
【図１０】本発明の幾つかの実施例により被験者の嘘の返答を認識するための方法を示すグラフである。
【発明を実施するための形態】
【００２０】
図１を参照すると、本発明の好適な実施例により構成及び実施される分散コンピュータ化された真実性テストシステムを簡略化して絵で示した図である。
【００２１】
図１に見られるように、参照符号１００によりコンピュータ化された真実性テストシステムが示されている。示された実施例では、コンピュータ化された真実性テストシステム１００は分散されたシステムであり、参照符号１０２，１０４及び１０６で示される、複数の真実性テスト場所を含み、それらは、すべて又は幾つかの真実性テスト場所から離れた真実性分析センター１１０で相互接続されている。各種の真実性テスト場所はインターネットのような適切なデータネットワークを介して一方向又は双方向に通信する。
【００２２】
以下に説明される特徴は非分散型の真実性テストシステムにも適用でき、１つの真実性テスト場所は真実性分析機能と同じ位置に設置されている。
【００２３】
本発明の好適な実施例によると、各真実性テスト場所には、被験者の少なくとも１つの特徴を示す出力とデータ受信コンピュータ１２２とを与えるように作用する、参照符号１２０で示される、被験者観察アセンブリを含む被験者観察サブシステムが設けられている。
【００２４】
さらに、本発明の好適な実施例によると、上述したように、真実性分析センター１１０のような分離した真実性分析場所にある、又は被験者観察サブシステムと共同設置される、及び、好ましくは、データ受信コンピュータ１２２に統合される、真実性分析機能が設けられている。
【００２５】
さらに図２Ａ及び２Ｂを参照すると、本発明の好適な実施例により構成及び実施されるコンピュータ化された真実性テストシステムの一部を形成する被験者観察サブシステムの簡略化された分解図及び組立図を絵で示した図であり、図２Ｃを参照すると、図２Ａ及び２Ｂの被験者観察サブシステムの簡略化した平面図であり、図２Ｄを参照すると、図２Ａ〜２Ｃの被験者観察サブシステムに手を掛けた状態を簡略化して示す図であり、図３Ａ及び３Ｂを参照すると、対応する図２Ａ及び２Ｂの各線ＩＩＩＡ−ＩＩＩＡ及びＩＩＩＢ−ＩＩＩＢに沿って切断した簡略切断図であり、図４Ａ及び４Ｂを参照すると、それぞれの非固定操作方向及び固定操作方向において図２Ｄの線ＩＶ−ＩＶに沿って切断した簡略切断図である。
【００２６】
図１〜４Ｂに見られるように、被験者観察サブシステム１２０はハンド係合ユニット１５０とカメラアセンブリ１５２を含み、両者は、好ましくは、共通ベース１５４に取り付けられている。
【００２７】
ハンド係合ユニット１５０は、好ましくは、共通ベース１５４に固定される人間工学的な形状のハンドレストベースエレメント１６０を備えている。ハンドレストベースエレメント１６０は、好ましくは、４つの指の支持領域１６２，１６４，１６６及び１６８と、第１及び第２の手のひら支持領域１７２及び１７４を有する手のひら支持領域１７０と、を備えている。
【００２８】
複数の生理的なセンサー接点は、好ましくは、支持領域１６２，１６６，１６８，１７２及び１７４に支持される時に、被験者の手に係合するベースエレメント１６０に置き換え可能に取り付けられている。
【００２９】
本発明の好適な実施例によると、皮膚電位（ＥＤＡ）センサー接点１８２，１８６，１８８，１９２及び１９４は各支持領域１６２，１６６，１６８，１７２及び１７４に配置されている。本発明の幾つかの特定の非限定的な実施例では、ＥＤＡセンサー接点１８２，１８６，１８８，１９２及び１９４は、イスラエル、９６９５１、エルサレム、エルサレムテクノロジーズビルディング１／Ｃのマインドライフソリューションリミテッドから市販されている、０３０３４０ＥＤＡセンサー接点を含んでいる。
【００３０】
本発明の好適な実施例によると、フォトプレチスモグラフ（ＰＰＧ）センサー接点１９６は支持領域１６４に配置されている。本発明の幾つかの特定の非限定的な実施例では、フォトプレチスモグラフ（ＰＰＧ）センサー接点１９６は、好ましくは、米国、９５００６、カリフォルニア、ボルダ―クリーク、ウェストパークアベニュー１４７００、ハートマス有限責任会社から市販されている、６０１０−Ｆを含んでいる。
【００３１】
１つ以上のＥＤＡ処理回路２００はセンサー接点１８２，１８６，１８８，１９２及び１９４からの出力を受信する。本発明の幾つかの特定の非限定的な実施例では、ＥＤＡ処理回路２００は、イスラエル、９６９５１、エルサレム、エルサレムテクノロジーズパークビルディング１／Ｃのマインドライフソリューションリミテッドから市販されている、０３０３００ＥＤＡを含んでいる。
【００３２】
ＰＰＧ処理回路２０２はセンサー接点１９６からの出力を受信する。本発明の幾つかの特定の非限定的な実施例では、ＰＰＧ処理回路２０２は、米国、９５００６、カリフォルニア、ボルダークリーク、ウェストパークアベニュー１４７００、ハートマス有限責任会社から市販されている、６０１０−Ｍを含んでいる。
【００３３】
好ましくは、汗ウィッキングハンド接点の表面層２１０は、ベースエレメント１６０上に設けられ、接点１８２，１８６，１８８，１９２，１９４及び１９６を収容する開口２１２が形成されている。
【００３４】
特に、図２Ｄ〜４Ｂに見られるように、選択的に膨帳可能な指固定エレメント２３２，２３４，２３６及び２３８は、手がハンド係合ユニット１５０に係合している時に、各支持領域１６２，１６４，１６６，１６８に面して示されているように、被験者の指を固定するために取り付けられている。図４Ａ及び４Ｂは選択的に膨帳可能なエレメント２３２〜２３８の１つの非膨張状態及び膨張状態をそれぞれ示している。
【００３５】
膨帳及び収縮制御部２４０及び２４２は、好ましくは、オペレータが選択的に膨帳可能な固定エレメント２３２，２３４，２３６及び２３８の膨帳を制御できるように設けられている。
【００３６】
さらに発明の好適な実施例によると、前記被験者の腕を選択的に固定するための選択可能な腕固定具２５０が設けられている。選択可能な腕固定具２５０は、好ましくは、共通ベース１５４に固定される一対の直立プレート２５２及び２５４を備えている。一対の選択的に膨帳可能な腕固定エレメント２５６及び２５８はプレート２５２及び２５４の内側表面に面して取り付けられている。
【００３７】
膨帳及び収縮制御部２６０及び２６２は、好ましくは、オペレータが選択的に膨帳可能な腕固定エレメント２５６及び２５８を制御できるように設けられている。
【００３８】
カメラアセンブリ１５２は、好ましくは、被験者の口及び鼻と被験者の側首領域をそれぞれ見るように配置されるのが好ましい第１及び第２の熱画像カメラ２７０を備えている。カメラアセンブリ１５２はまた、操作検出器２７４を備えている。本発明の幾つかの好適な実施例では、好適な動作検出器２７４は、イスラエル、６９７１０、テルアビブ、ハバーゼルストリート２８、プライムセンスから市販されている、ｃｎ８５３７０２２６０６を含んでいる。動作検出器２７４は、好ましくは、被験者の胸部を見る。
【００３９】
動作検出器の使用により呼吸数が確認されることは本発明の好適な実施例の特別は特徴である。
【００４０】
複数の異なるタイプの検出器の使用により、心拍数、呼吸数、及び皮膚伝導率の少なくとも１つが確認されることは本発明の好適な実施例のさらなる特別な特徴である。この目的のために使用される複数の異なるタイプの検出器の例は、熱カメラと動作検出器を含み、その両方の出力は呼吸数を確認するために使用され、また、ＰＰＧセンサーと熱カメラを含み、その両方の出力は心拍数を確認するために使用されると共に呼吸数を計算するためにも使用され、また、１つ以上のＥＤＡセンサーと動作検出器を含み、その両方の出力は皮膚伝導率を使用するために使用される。
【００４１】
図５を参照すると、本発明の好適な別の実施例により構成及び実施されるコンピュータ化された真実性テストシステムの一部を形成する被験者観察サブシステムを簡略化して絵で示している。
【００４２】
図５に見られるように、被験者観察サブシステム３２０は、ハンド係合ユニット３５０とカメラアセンブリ３５２を備えており、その両方は好ましくは共通ベース３５４に取り付けられている。
【００４３】
ハンド係合ユニット３５０は、好ましくは、共通ベース３５４にグローブエレメント取り付けられる３６０を備えている。グローブエレメント３６０は、好ましくは、５つの指係合領域３６２，３６４，３６６，３６８及び３６９と、第１及び第２の手のひら支持領域３７２及び３７４を含む手のひら係合領域３７０と、を備えている。
【００４４】
複数の生理的センサー接点は、好ましくは、被験者の手がグローブエレメント３６０に完全に挿入された時に被験者の手と係合するグローブエレメント３６０に取り付けられている。
【００４５】
本発明の好適な実施例によると、皮膚電位（ＥＤＡ）センサーの接点３８２，３８６，３８８，３９２及び３９４はそれぞれの係合領域３６２，３６６，３６８，３７２及び３７４に配置されている。本発明の幾つかの特定の非限定的な実施例では、ＥＤＡセンサーの接点３８２，３８６，３８８，３９２及び３９４は、好ましくは、イスラエル、９６９５１、エルサレム、エルサレムテクノロジーズパークビルディング１／Ｃのマインドライフソリューションリミテッドから市販されている、０３０３４０ＥＤＡセンサー接点を含んでいる。
【００４６】
本発明の好適な実施例によると、フォトプレチスモグラフ（ＰＰＧ）センサー接点３９６は係合領域３６４に配置されている。本発明の幾つかの特定の非限定的な実施例では、ＰＰＧセンサー接点３９６は、好ましくは、米国、９５００６、カリフォルニア、ボルダークリーク、ウェストパークアベニュー１４７００、ハートマス有限責任会社から市販されている、６０１０−Ｆを含んでいる。
【００４７】
さらに、本発明の好適な実施例によると、温度センサーのような少なくとも１つのさらなるセンサー３９８が係合領域３６９に配置されている。
【００４８】
１つ以上のＥＤＡ処理回路４００はセンサーの接点３８２，３８６，３８８，３９２及び３９４からの出力を受信する。本発明の幾つかの特定の非限定的な実施例では、ＥＤＡ処理回路４００は、好ましくは、イスラエル、９６９５１、エルサレム、エルサレムテクノロジーズパークビルディング１／Ｃのマインドライフソリューションリミテッドから市販されている、０３０３００ＥＤＡを含んでいる。
【００４９】
ＰＰＧ処理回路４０２はセンサー接点３９６からの出力を受信する。本発明の幾つかの特定の非限定的な実施例では、ＰＰＧ処理回路４０２は、好ましくは、米国、９５００６、カリフォルニア、ボルダークリーク、ウェストパークアベニュー１４７００、ハートマス有限責任会社から市販されている、６０１０−Ｍを含んでいる。
【００５０】
好ましくは、グローブエレメント３６０は汗ウィッキングハンド接点の表面層４１０を含んでいる。
【００５１】
選択的に膨帳可能な指固定エレメント４３２，４３４，４３６，４３８及び４３９は、手がハンド係合ユニット３５０に係合している時に、各係合領域３６２，３６４，３６６，３６８及び３６９に面して示されているように、被験者の指を固定するために取り付けられている。
【００５２】
膨帳及び収縮制御部４４０及び４４２は、好ましくは、オペレータが選択的に膨帳可能な固定エレメント４３２，４３４，４３６，４３８及び４３９の膨帳を制御できるように設けられている。
【００５３】
さらに発明の好適な実施例によると、前記被験者の腕を選択的に固定するための選択可能な腕固定具４５０が設けられている。選択可能な腕固定具４５０は、好ましくは、共通ベース３５４に固定される一対の直立プレート４５２及び４５４を備えている。一対の選択的に膨帳可能な腕固定エレメント４５６及び４５８はプレート４５２及び４５４の内側表面に面して取り付けられている。
【００５４】
膨帳及び収縮制御部４６０及び４６２は、好ましくは、オペレータが選択的に膨帳可能な腕固定エレメント４５６及び４５８を制御できるように設けられている。
【００５５】
カメラアセンブリ３５２は、好ましくは、被験者の口及び鼻と被験者の側首領域をそれぞれ見るように配置されるのが好ましい第１及び第２の熱画像カメラ４７０を備えている。カメラアセンブリ３５２はまた、操作検出器４７４を備えている。動作検出器４７４は、好ましくは、被験者の胸部を見る。カメラアセンブリ３５２は通常のビデオカメラを含んでいてもよい。幾つかの実施例では、カメラアセンブリ３５２は、例えば、Ｐｒｉｍｅ  Ｓｅｎｓｅ製のカメラ又はＸｂｏｘのＫｉｎｅｃｔコンピュータゲームのカメラアセンブリのような深度カメラ、又は他の適切な深度カメラを含んでいてもよい。本発明の幾つかの特定の非限定的な実施例では、カメラアセンブリ３５２は、イスラエル、６９７１０、テルアビブ、ハバーゼルストリート２８、プライムセンスから市販されている、ｅｎ８５３７０２２６０６を含んでいる。
【００５６】
図６Ａ，６Ｂ及び６Ｃを参照すると、好ましくは、本発明の好適な実施例の真実性テストシステムにより与えられる、多数の異なるタイプのセンサーを使用する３つの異なる出力機能を簡略化して示す図である。
【００５７】
上述したように、本発明の被験者観察サブシステムが、心拍数、呼吸数、及び皮膚伝導率の少なくとも１つを確認するために有用な出力を与える多数の異なるタイプのセンサーを備えていることと、被験者の真実性に関連する兆候を与えるために被験者観察サブシステムの前記出力に応答する自動的に動作可能なコンピュータ化された分析サブシステムを備えていることは、本発明の特別な特徴である。
【００５８】
図６Ａは、多数の検出回路経由のＥＤＡ指センサー１８２，１８６及び１８８からの出力、ＥＤＡ手のひらセンサー１９２からの出力１９２及び１９４、及び動作検出器２７４からの出力が、処理回路２００及び２０２（図２Ａ及び２Ｂ）又は処理回路４００及び４０２（図５）含む、プロセッサー５００に供給される本発明の特徴を示している。プロセッサー５００は、通常コンピュータ１２２（図１）に現われる皮膚導電性変化出力５０２を与えるように動作する。上述した特徴に加えて、導電性変化出力５０２の特別な特徴は、ここでは矢印５０４として表す、１つ以上の視覚的な表示で与えられ、それは動作検出器２７４によって検出される被験者の突然の実在する胸部の動きを表わす。皮膚導電性変化出力５０２に加えて、好ましくは、プロセッサー５００に与えられる入力に基づき被験者の真実性を示す、マルチパラメータ真実性表示器５０６も設けられている。
【００５９】
図６Ｂは、ＰＰＧセンサー１９６からの出力、熱カメラ２７２からの出力及び動作検出器２７４からの出力がプロセッサー５００に供給される本発明の特徴を示している。プロセッサー５００は、通常コンピュータ１２２（図１）に現われる呼吸数変化出力５１２を与えるように動作する。上述した特徴に加えて、呼吸数変化出力５１２の特別な特徴は、ここでは矢印５１４として表す、１つ以上の視覚的な表示で与えられ、それは動作検出器２７４によって検出される被験者の突然の実在する胸部の動きを表わす。呼吸数変化出力５１２に加えて、好ましくは、プロセッサー５００に与えられる入力に基づき被験者の真実性を示す、マルチパラメータ真実性表示器５１６も設けられている。
【００６０】
図６Ｃは、ＰＰＧセンサー１９６からの出力、熱カメラ２７０からの出力がプロセッサー５００に供給される本発明の特徴を示している。プロセッサー５００は、通常コンピュータ１２２（図１）に現われる心拍数変化出力５２２を与えるように動作する。心拍数変化出力５２２に加えて、好ましくは、プロセッサー５００に与えられる入力に基づき被験者の真実性を示す、マルチパラメータ真実性表示器５２６も設けられている。
【００６１】
図７を参照すると、図６Ａ，６Ｂ及び６Ｃに示される機能を与える真実性テストシステムの作用を簡略して示している。図７に見られるように、本発明は好適な実施例では、以下の出力がプロセッサー５００に供給されるのが好ましい。
【００６２】
Ｉ．ＥＤＡ指センサー１８２，１８６及び１８８からの第１のＥＤＡ検出回路の出力；
ＩＩ．ＰＰＧ指センサー１９６からのＰＰＧ検出回路の出力；
ＩＩＩ．ＥＤＡ手のひらセンサー１９２及び１９４からの第２のＥＤＡ検出回路の出力；
ＩＶ．被験者の首を見る熱カメラ２７０からの出力；
Ｖ．被験者の顔を見る熱カメラ２７２からの出力；
ＶＩ．被験者の胸部を見る動作検出器２７４からの出力；
【００６３】
プロセッサー５００は、通常コンピュータ１２２（図１）に現われる皮膚導電性変化出力５０２、呼吸数変化出力５１２、及び心拍数変化出力５２２を与えるように動作する。上述した各種特徴に加えて、本発明の実施例の特別な特徴は、ここでは矢印５０４及び５１４として表す、１つ以上の視覚的な表示で与えられ、それは動作検出器２７４によって検出される被験者の突然の実在する胸部の動きを表わす。出力５０２，５１２及び５２２に加えて、好ましくは、プロセッサー５００に与えられる各種入力に基づき被験者の真実性を示す、マルチパラメータ真実性表示器５３６も設けられている。
【００６４】
プロセッサー５００がまた少なくとも１つのさらなるセンサー３９８（図５）からの出力を受信するさらなる処理回路を備えていてもよいことが分かる。
【００６５】
ハンド係合ユニット１５０及び３５０が観察により被験者の左手又は右手のいずれかと係合するように構成されていてもよいことが分かる。
【００６６】
本発明の幾つかの実施例によると、質問に対する嘘の応答を検出するため、少なくとも発汗レベルの変化及び又は心拍数が分析される。発汗レベルは、皮膚導電性レベルのような皮膚の電位の変化により推測されてもよい。皮膚導電性及び又は心拍数は、詳細を上記したように、各種の検出器、センサー、及び又はカメラにより監視される。例えば、心拍数は少なくともフォトプレチスモグラフによって検出されてもよい。例えば、発汗レベルは導電率センサーによって検出されてもよい。監視される皮膚導電性及び又は心拍数の変化は、上述したようにプロセッサー５００によって処理され、出力５０２及び又は出力５２２をそれぞれ生成する。
【００６７】
発汗レベルの変化は、感情的な発汗の変化から生じる皮膚の電気抵抗の変化によって測定されてもよい（感情的な理由による発汗）。心拍数の変化の意味は、当技術で周知なように、高速フーリエ変換（ＦＦＴ）により心拍パルスの周波数成分及び低周波数成分と高周波数成分の間の割合を識別することにより決定されてもよい。
【００６８】
ここで詳細に説明したように、被験者の嘘の返答を識別する方法は、被験者の発汗レベルの変化及び又は心拍数が測定されている間、質問が被験者に提示される尋問プロセスを含んでいる。
【００６９】
図８を参照すると、本発明の実施例により被験者の嘘の返答を認識するための方法を示す概略フローチャートである。ブロック８１０に示されているように、その方法は、例えば、答えが公知な一連の予備質問に返答する人間被験者の皮膚導電性レベルを測定することを含み、該測定された皮膚導電性レベルは基準の皮膚導電性レベルと定義される。尋問プロセスは、例えば、公知な答えを有する一般的な首題で、例えば、少なくとも２つの質問で開始又はそれらを含んでいてもよい。
【００７０】
被験者の基本／基準導電性と電気回路の固有導電性との間の関係は結果の感度と密接な関連性を有している。基本的に、電気回路は並列接続された２つのコンデンサーにより構成され、一方のコンデンサーは一定の容量を有し、他方のコンデンサーは発汗レベルにより変化する。最大感度に届くため、少なくとも２つの予備的質問により皮膚の基本導電性を計算し、本発明の実施例によるシステムは特定の被験者の計算された皮膚の基本導電性により回路の固有導電性のレベルを調整する。したがって、その方法は、例えば、前記人間被験者の皮膚導電性レベルの測定が前記人間被験者の抵抗に一致する可変抵抗を有する皮膚導電性測定装置を使用して行われることを含んでいてもよい。
【００７１】
ブロック８２０に示されているように、その方法は、前記人間被験者の自律神経系を交感神経活性化に導くのに十分な官能的刺激を前記人間被験者に与えることを含んでいる。すなわち、そのプロセスは、例えば、刺激的な質問及び又は音及び又は強い音を含む刺激を作り出す。この段階の目的は、非刺激的な質問と制御不能な生理的な反応を刺激する質問の両方の質問に対する被験者の基本応答性を識別することである。予備的質問と以下の官能的刺激は、示された尋問状態における被験者の自動応答レベルと通常行動の推測を可能にする。
【００７２】
刺激の後の基本／通常の回復時間は特定の人間被験者のために測定される。基本回復時間は、応答レベルが刺激後にある所定レベルに減少される時間として定義され、例えば、基本ストレス応答と基準レベルとの間の中間レベルに減少される時間として定義される。ブロック８３０に示されているように、その方法は、例えば、前記交感神経活性化の後に前記人間被験者の前記皮膚導電性レベルを測定することを含み、該測定された皮膚導電性レベルはストレス基本応答レベルとして定義され、基本回復時間は、測定値がストレス応答レベルと基準皮膚導電性レベルとの間の特定値に達した後の時間として定義される。
【００７３】
その後、一連の標準／制御質問は、例えば、答えの長さを変えて、被験者に提示されてもよい。ブロック８４０に示されているように、その方法は、例えば、答えが公知である一連の制御質問に返答する前記人間被験者の皮膚導電性レベルを測定することを含んでいる。例えば、名前、電話番号、職場、住所等に関する質問のような情報質問が尋ねられる。標準／制御質問段階の間、測定値は、各返答が基本回復時間と比較された後に基準返答レベル及び回復時間に比較される。
【００７４】
例えば、制御質問への返答が自動返答レベルと実質的に同じレベルであると共に回復時間が基本回復時間と実質的に同じ又はそれより短い場合には、これは嘘の返答であると暗示し、例えば、それが不自然な刺激及び認識しない刺激に対する返答であると暗示する。交感神経活性化が検出された場合、制御質問のための制御皮膚導電性レベルの回復時間を基本回復時間と比較することによって質問への返答の真実性を見つけることが行われる。例えば、被験者が不自然に返答を模倣しようとした時或いは、例えば任意の外部音のような不適切な刺激によって影響を及ぼされた場合には不自然な刺激が起こる。しかしながら、自動返答レベルより低いレベルでさえ制御質問への返答がはっきりしている場合で回復時間が基本回復時間より非常に長い場合には、これは認識した返答及び回復の困難さ、例えば本当の返答を暗示してもよい。
【００７５】
したがって、ブロック８５０に示されているように、その方法は、例えば、交感神経活性化が検出された場合、制御質問のための制御皮膚導電性レベルの回復時間を基本回復時間と比較することによって質問への返答の真実性を見つけることが行われる。例えば、交感神経活性化が検出された場合、制御質問への皮膚導電性レベルの回復時間は基本回復時間より長くなく、制御質問への返答を嘘と表示する。
【００７６】
本発明の幾つかの実施例では、被験者の心拍は、図８を参照してここに説明されているプロセスの間、少なくとも一連の制御質問が尋ねられる期間の間に測定され、被験者の心拍コヒーレンスの基準構造が計算される。本発明の幾つかの実施例では、被験者の心拍を測定することは心拍変動（ＨＲＶ）を測定することを含んでいる。計算された基準コヒーレンス構造はＨＲＶデータの高速フーリエ変換（ＦＦＴ）分析により見つけられる通常の周波数特性を含み、超低周波（ＶＬＦ）、低周波（ＬＦ）、及び高周波（ＨＦ）の間で分離を与える。さらに、皮膚導電性レベルの変動程度は同じ期間に測定され、質問への応答の間に変動程度が変動のある所定の閾値より高く且つ心拍コヒーレンスが心拍コヒーレンス基準より高い及び又は心拍コヒーレンス基準とは実質的に構造が異なる場合に、この期間の間の質問への返答は嘘であると疑われて表示されてもよい。例えば、幾つかの実施例では、変動程度が１０より高く、被験者が高レベルのコヒーレンスの間の時間の割合は９０より高い場合、被験者の答えは嘘であると疑われる。しかしながら、ほとんどの実施例では、心拍コヒーレンスの構造もまた考慮に入れられる。幾つかの実施例では、変動程度は、例えば、マインドライフ（Mindlife）によって開発されたＰｒｏＲｅｌａｘのようなバイオフィードバックによって測定されてもよい。
【００７７】
図９を参照すると、本発明の実施例により被験者の嘘の返答を認識するための方法を示す概略フローチャートである。ブロック９１０に示されているように、その方法は、答えが公知な一連の予備質問に返答する人間被験者の心拍を測定することを含み、心拍のコヒーレンスレベルを基準心拍コヒーレンスレベルであると導く。予備的尋問プロセスは、例えば、公知な答えを有する一般的な首題で、例えば、少なくとも２つの質問で開始又はそれらを含んでいてもよい。
【００７８】
その後、一連の標準／制御質問は、例えば、答えの長さを変えて、被験者に提示されてもよい。ブロック９２０に示されているように、その方法は、答えが可変長さを有する一連の制御質問を前記人間被験者に提示することを含み、その質問は、前記人間被験者が呼吸器系を選択的に制御することができない速度で尋ねられ、前記人間被験者の心拍コヒーレンスレベルが不均衡にならないようになっている。予備的質問の間、基本コヒーレンス、すなわち、静かな期間における被験者の心拍変動の基本パターンが習得される。制御／標準質問の段階の間、ストレス返答コヒーレンス、すなわち、不規則な呼吸状態における心拍変動のパターンが習得される。
【００７９】
ブロック９３０に示されているように、その方法は、例えば、一連の適切な問合せ質問に返答する前記人間被験者の心拍を測定することを含み、前記質問は前記人間被験者が自分の呼吸器系を選択的に制御できる速度で尋ねられる。
【００８０】
標準／制御質問段階の間、心拍変化コヒーレンシの測定値が基本コヒーレンシと比較される。適切な質問への返答の真実性は、検出された心拍コヒーレンスを基準心拍コヒーレンス及び不均衡な心拍コヒーレンスと比較することにより見つけられる。例えば、幾つかの実施例では、尋問中のコヒーレンシが基本コヒーレンシより非常に良い場合には、これは、被験者が質問への返答の平穏性を自主的に表すために呼吸数を制御するようにすることを暗示している。心拍コヒーレンシと発汗の測定値は、質問及び返答中で、例えば、約２０秒までの時間窓で返答した後すぐに検出されてもよい。この期間中、コヒーレンシが基本コヒーレンシより非常に悪く、発汗の測定値（皮膚導電性）が基本返答より高い場合、これは被験者によって与えられる返答が大いに嘘であることを暗示する。
【００８１】
したがって、ブロック９４０に示されているように、その方法は、例えば、検出された心拍コヒーレンスを基準心拍コヒーレンス及び不均衡な心拍コヒーレンスと比較することにより適切な質問への返答の真実性を見つけることを含んでいる。幾つかの実施例では、適切な問合せ質問に答えるコヒーレンスレベルが前記基準心拍コヒーレンスレベルより良い場合、適切な問合せ質問への返答は嘘であると示され、例えば、被験者は適切な質問に対する本当の返答を隠すために自分の心拍を制御しようとする。
【００８２】
公知な方法では、質問間に完全に回復させるため、２つの連続する質問の間に約２０秒又は別のある所定時間待つのが通常である。対照的に、本発明の実施例は連続的な質問を可能にし、ストレスに感じる質問が最後の質問の提示から短時間内、例えば、４秒検出されない時、次の質問が続けられる。これにより、尋問時間を非常に短縮することができ、一定時間により多くの首題の質問をすることができる。
【００８３】
図１０を参照すると、本発明の実施例により被験者の嘘の返答を認識するため、図８を参照して説明した方法を示す概略グラフ１０００である。グラフ１０００は時間の関数として皮膚導電性を示している。説明されているように、基準皮膚導電性レベル１００５は本発明の実施例により測定される。例えば、時間１０１５において外部の身体的刺激のように、刺激が活性化されると、基本返答レベル１０３０及び基本回復時間１０６０が測定され、基本回復時間は、測定値がストレス基本返答レベル１０３０と規準皮膚導電性レベル１００５との間の特定の値１０４０に達した後の時間として定義される。
【００８４】
その後、一連の制御質問が提示され、返答レベル１０１０が測定される。標準／制御質問段階の間、測定値１０１０は、各返答１０１０が基本回復時間１０６０と比較された後、基準返答レベル１０３０及び回復時間１０５０と比較される。回復時間１０５０は、返答レベル１０１０と基準皮膚導電性レベル１００５との間の特定値１０２０に達した後の時間として定義される。
【００８５】
図１０の例では、制御質問への返答後の皮膚導電性レベルの回復時間が基本回復時間１０６０より長くない場合、制御質問への返答は嘘であると疑われるということを結論付けている。しかしながら、自動返答レベル１０３０より僅かに低いレベルでさえ制御質問への返答がはっきりし、回復時間１０５０が基本回復時間１０６０より非常に長い場合、これは認識している返答及び回復の困難さを暗示し、例えば、本当の返答を暗示する。
【００８６】
本発明は特別に示され上述されたものによって限定されないことは当業者によって理解されるだろう。本発明の範囲はまた、上述した説明を読むことで当業者に浮かぶ従来技術にない変形及び修正と同様に、上述した各種特徴の組合わせ及びサブコンビネーションをも含んでいる。
【図１】
2017532170.tif 000003
【図２Ａ】
2017532170.tif 000004
【図２Ｂ】
2017532170.tif 000005
【図２Ｃ】
2017532170.tif 000006
【図２Ｄ】
2017532170.tif 000007
【図３Ａ】
2017532170.tif 000008
【図３Ｂ】
2017532170.tif 000009
【図４Ａ】
2017532170.tif 000010
【図４Ｂ】
2017532170.tif 000011
【図５】
2017532170.tif 000012
【図６Ａ】
2017532170.tif 000013
【図６Ｂ】
2017532170.tif 000014
【図６Ｃ】
2017532170.tif 000015
【図７】
2017532170.tif 000016
【図８】
2017532170.tif 000017
【図９】
2017532170.tif 000018
【図１０】
2017532170.tif 000019
【国際調査報告】
2017532170.tif 000020
2017532170.tif 000021
2017532170.tif 000022
2017532170.tif 000023
2017532170.tif 000024